(57)【要約】テレビジョン信号受信機２０、ラジオ及び／又は緊急警報機能を有する他の装置のような装置は、緊急事態がユーザに即座に通知される確率を高めるやり方で警報出力を提供する。例示的な実施の形態によれば、テレビジョン信号受信機２０は、緊急警報機能をアクチベート可能な緊急警報信号を含む信号をチューニングするための作用するチューナ２２を含んでいる。プロセッサ２７は、緊急警報機能のアクチベーションに応じて、テレビジョン信号受信機２０に関連されるディスエーブルにされたオーディオ出力装置をイネーブルにするために作用する。
2006507733.tif 000002
【特許請求の範囲】
【請求項１】
緊急警報機能を有する装置であって、
前記緊急警報機能をアクチベートすることが可能な緊急警報信号を含む信号をチューニングするチューニング手段と、
前記緊急警報機能のアクチベーションに応答して当該装置に関連されるディスエーブルにされたオーディオ出力装置をイネーブルにする処理手段と、
を含むことを特徴とする装置。
【請求項２】
前記ディスエーブルにされたオーディオ出力装置は、当該装置の内部スピーカを含む、
請求項１記載の装置。
【請求項３】
前記ディスエーブルにされたオーディオ出力装置は、当該装置のオーディオ出力端子に作用的に接続される、
請求項１記載の装置。
【請求項４】
前記処理手段は、前記緊急警報機能のアクチベーションに応答して前記オーディオ出力装置を介して第一の警報出力を更にイネーブルにする、
請求項１記載の装置。
【請求項５】
前記処理手段は、前記緊急警報機能のアクチベーションに応答して二次装置を介して第二の警報出力を更にイネーブルにする、
請求項４記載の装置。
【請求項６】
前記二次装置は電話を含む、
請求項５記載の装置。
【請求項７】
前記二次装置はコンピュータを含む、
請求項５記載の装置。
【請求項８】
前記二次装置はテレビジョン信号受信機を含む、
請求項５記載の装置。
【請求項９】
前記二次装置はビジュアル出力装置を含む、
請求項５記載の装置。
【請求項１０】
緊急警報機能を有する装置を制御するための方法であって、
前記緊急警報機能をアクチベートすることが可能な緊急警報信号を含む信号をチューニングするステップと、
前記緊急警報機能のアクチベーションに応答して当該装置に関連するディスエーブルにされたオーディオ出力装置をイネーブルにするステップと、
を含むことを特徴とする方法。
【請求項１１】
前記ディスエーブルにされたオーディオ出力装置は、当該装置の内部スピーカを含む、
請求項１０記載の方法。
【請求項１２】
前記ディスエーブルにされたオーディオ出力装置は、当該装置のオーディオ出力端子に作用的に接続される、
請求項１０記載の方法。
【請求項１３】
前記緊急警報機能のアクチベーションに応答して前記オーディオ出力装置を介して第一の警報出力をイネーブルにするステップを更に含む、
請求項１０記載の方法。
【請求項１４】
前記緊急警報機能のアクチベーションに応答して二次装置を介して第二の警報出力をイネーブルにするステップを更に含む、
請求項１３記載の方法。
【請求項１５】
前記二次装置は電話を含む、
請求項１４記載の方法。
【請求項１６】
前記二次装置はコンピュータを含む、
請求項１４記載の方法。
【請求項１７】
前記二次装置はテレビジョン信号受信機を含む、
請求項１４記載の方法。
【請求項１８】
前記二次装置はビジュアル出力装置を含む、
請求項１４記載の方法。
【請求項１９】
緊急警報機能を有するテレビジョン信号受信機であって、
前記緊急警報機能をアクチベートすることが可能な緊急警報信号を含む信号をチューニングするために作用するチューナと、
前記緊急警報機能のアクチベーションに応答して当該テレビジョン信号受信機に関連するディスエーブルにされたオーディオ出力装置をイネーブルにするために作用するプロセッサと、
を含むことを特徴とするテレビジョン信号受信機。
【請求項２０】
前記ディスエーブルにされたオーディオ出力装置は、当該テレビジョン信号受信機の内部スピーカを含む、
請求項１９記載のテレビジョン信号受信機。
【請求項２１】
前記ディスエーブルにされたオーディオ出力装置は、当該テレビジョン信号受信機のオーディオ出力端子に作用的に接続される、
請求項１９記載のテレビジョン信号受信機。
【請求項２２】
前記プロセッサは、前記緊急警報機能のアクチベーションに応答して前記オーディオ出力装置を介して第一の警報出力をイネーブルにするために更に作用する、
請求項１９記載のテレビジョン信号受信機。
【請求項２３】
前記プロセッサは、前記緊急警報機能のアクチベーションに応答して二次装置を介して第二の警報出力をイネーブルにするために更に作用する、
請求項２２記載のテレビジョン信号受信機。
【請求項２４】
前記二次装置は電話を含む、
請求項２３記載のテレビジョン信号受信機。
【請求項２５】
前記二次装置はコンピュータを含む、
請求項２３記載のテレビジョン信号受信機。
【請求項２６】
前記二次装置はテレビジョン信号受信機を含む、
請求項２３記載のテレビジョン信号受信機。
【請求項２７】
前記二次装置はビジュアル出力装置を含む、
請求項２３記載のテレビジョン信号受信機。
【発明の詳細な説明】
【技術分野】
【０００１】
本発明は、緊急警報機能を有するテレビジョン信号受信機及び／又は他の装置のような装置全般に関し、より詳細には、ユーザに緊急事態が通知される確率を高めるかかる装置を使用した警報出力を提供するための技術に関する。
【０００２】
本出願は、シリアル番号６０／４２６，９５２及び６０／４２６，９５４が割り当てられた２００２年１１月１５日に米国特許商標庁に提出された２つの仮出願の優先権、及び該２つの仮出願から得られる全ての利益を主張するものである。
【背景技術】
【０００３】
厳しい天候、自然災害、火災、都市の非常事態、戦争行為、有害物質の漏れ、放射線の漏れ、又は他のかかる状態のような緊急事態は、準備がなされていない個人に対して壊滅的となる可能性がある。天気に関連する非常事態について、ＮＷＳ（Ｎａｔｉｏｎａｌ  Ｗｅａｔｈｅｒ  Ｓｅｒｖｉｃｅ）及びＮＯＡＡ（Ｎａｔｉｏｎａｌ  Ｏｃｅａｎｏｇｒａｐｈｉｃ  ａｎｄ  Ａｔｍｏｓｐｈｅｒｉｃ  Ａｄｍｉｎｉｓｔｒａｔｉｏｎ）のような当局は、一般大衆よりも先に厳しい天気状態を検出することが可能である。ドップラレーダ及び天気衛星のような現代の天気検出装置の使用により、ＮＷＳ及びＮＯＡＡは、多くの生命を助ける厳しい天気状態の早期の警告を発することができる。しかし、かかる効果的な警報について、それらの意図された受信者に伝達される必要がある。
【０００４】
所定の装置は、ＮＷＳ及びＮＯＡＡのようなソースにより提供される緊急警報信号を受信可能であり、ＳＡＭＥ（Ｓｐｅｃｉｆｉｃ  Ａｒｅａ  Ｍｅｓｓａｇｅ  Ｅｎｃｏｄｉｎｇ）技術を使用した緊急警報機能を提供する。ＳＡＭＥ技術を使用した装置は、１以上の関心のある地理的なエリア、及び緊急警報機能をアクチベートする１以上の緊急事態のタイプのようなアイテムを選択することで、緊急警報機能のためのセットアッププロセスを実行するのをユーザに典型的に要求する。ひとたびセットアッププロセスが完了されると、ＳＡＭＥデータを含む到来する緊急警報信号がセットアッププロセスの間にユーザにより選択された緊急事態の地理的なエリア及びタイプに対応する緊急事態の発生を示すときに、緊急警報機能がアクチベートされる場合がある。緊急警報機能がアクチベートされたとき、オーディオメッセージのような警報出力が緊急事態を個人に警告するために供給される場合がある。
【発明の開示】
【発明が解決しようとする課題】
【０００５】
ＳＡＭＥ技術のような技術を使用した装置によれば、ある瞬間に警報出力が個人に提供されない場合がある。たとえば、テレビジョン信号受信機のような装置は、オーディオレシーバ及び／又はアンプのような別のオーディオ出力装置テレビジョン信号受信機のオーディオ出力端子（たとえば、オーディオ出力プラグ）に動作可能に接続されたときにディスエーブルにされる内部スピーカのようなオーディオ出力装置を含む場合がある。
【０００６】
さらに、接続されるオーディオ出力装置はオンにされない場合があるか、又はオンされるものの、ビデオカセットレコーダ（ＶＣＲ）、デジタルバーサティルディスク（ＤＶＤ）プレーヤ、又は他の装置のようなテレビジョン信号受信機以外の入力ソースからのビデオデータを処理している場合がある。かかる例では、テレビジョン信号受信機の緊急警報機能がアクチベートされた場合、テレビジョン信号受信機のオーディオ出力装置がディスエーブルにされているので、個人には緊急事態が警告されない場合がある。さらに、テレビジョン信号受信機に接続されたオーディオ出力装置は、オフにされているか又はテレビジョン信号受信機以外の入力ソースからのオーディオデータを処理しているので、警報出力を提供しない。結果として、個人には緊急事態が警告されず、したがって潜在的に危険な状態にさらされる場合がある。
【０００７】
したがって、上述された問題を回避する緊急事態の通知を提供し、したがってユーザに緊急事態が通知される確率を高める装置及び方法が必要とされている。本発明は、これらの問題及び他の問題に対処するものである。
【課題を解決するための手段】
【０００８】
本発明の態様によれば、緊急事態機能を有する装置が開示される。例示的な実施の形態によれば、本装置は、緊急事態機能をアクチベート可能な緊急警報信号を含む信号をチューニングするためのチューニング手段を備えている。処理手段は、緊急警報機能のアクチベーションに応じて装置に関連されるディスエーブルにされたオーディオ出力装置をイネーブルにするために設けられる。
【０００９】
本発明の別の態様によれば、緊急警報機能を有する装置を制御するための方法が開示される。例示的な実施の形態によれば、本方法は、緊急警報機能をアクチベート可能な緊急警報信号を含む信号をチューニングするステップ、及び緊急警報機能のアクチベーションに応じて装置に関連されるディスエーブルにされたオーディオ出力装置をイネーブルにするステップを備えている。
【００１０】
本発明の更に別の態様によれば、緊急警報機能を有するテレビジョン信号受信機が開示される。例示的な実施の形態では、テレビジョン信号受信機は、緊急警報機能をアクチベート可能な緊急警報信号を含む信号をチューニングするために作用するチューナを備えている。プロセッサは、緊急警報機能のアクチベーションに応じてテレビジョン信号受信機に関連されるディスエーブルにされたオーディオ出力をイネーブルにするために作用する。
【００１１】
本発明の先に記載された機能及び利点、他の機能及び利点、並びにそれらに属する方式は、添付図面と共に行われる本発明の実施の形態に関する以下の記載を参照することで良好に理解されるであろう。
【００１２】
以下で述べられる説明は、本発明の好適な実施の形態を例示するものであって、かかる説明は、本発明の範囲を制限するものとして解釈されるべきではない。
【発明を実施するための最良の形態】
【００１３】
図面、より詳細には図１を参照して、本発明を実現するのに適した例示的な環境１００が示されている。図１では、環境１００は、信号送信源１０のような信号送信手段、住宅ユニット１５（すなわち１，２，３．．．Ｎ，Ｎは正の整数）のような住宅手段、及びテレビジョン信号受信機２０のような信号受信手段を有している。
【００１４】
図１では、住宅ユニット１５は、特定の地理的なエリアに位置される邸宅、事業所及び／又は他の住宅の場所を表す場合があり、特定の地理的なエリアは、限定されるものではないが、特定の大陸、国、領域、州、エリアコード、ジップコード、市、郡、自治体、一区画、及び／又は他の定義可能な地理的なエリアである。例示的な実施の形態では、住宅ユニット１５のそれぞれには、緊急警報機能を有する少なくとも１つのテレビジョン信号受信機２０が設けられている。本発明によれば、緊急警報機能により、テレビジョン信号受信機２０は、緊急警報信号を受信可能であり、緊急事態を個人に通知するために１以上の警報出力を提供可能である。
【００１５】
本実施の形態で後に説明されるように、テレビジョン信号受信機２０は、とりわけ、オーディオ出力装置を介して警報出力を提供する前に、内部スピーカのような、ディスエーブルにされたオーディオ出力装置をイネーブルにすることが可能でもある。また、テレビジョン信号受信機２０は、緊急事態がユーザに通知される確率を更に高めるため、電話、コンピュータ及び／又は他の装置のような１以上の二次装置を介して警報出力を提供することも可能である。例示のため、本発明は、テレビジョン信号受信機２０を参照して本実施の形態で記載される。しかし、本発明の原理は、ラジオのような他の装置により使用される場合もある。
【００１６】
例示的な実施の形態によれば、信号送信源１０は、それぞれのテレビジョン信号受信機２０により受信される場合があるオーディオ、ビデオ及び／又は緊急警報信号を含む信号を送信する。例示的な実施の形態によれば、緊急警報信号は、ＮＷＳのような当局、又は政府のエンティティ等のような他の当局から供給される場合がある。信号送信源１０は、当局により供給されたときのオリジナルのフォームで緊急警報信号を送信するか、緊急警報信号を表すデジタルデータを他のデータに添付するか、又はその特定の送信フォーマットの必要に適したやり方で緊急警報信号を変更する場合がある。緊急警報信号に応じて、それぞれのテレビジョン信号受信機２０は、１以上の警報出力を提供し、これにより緊急事態を個人に通知することができる。信号送信源１０は、限定されるものではないが地上波、ケーブル，衛星、光ファイバ、デジタル加入者回線（ＤＳＬ）、並びに他のタイプのブロードキャスト及び／又はマルチキャスト手段のような有線又は無線リンクを介して、信号をテレビジョン信号受信機２０に送信する場合がある。
【００１７】
図２を参照して、図１のテレビジョン信号受信機２０の例示的な実施の形態のブロック図が示されている。図２では、テレビジョン信号受信機２０は、信号受信エレメント２１のような信号受信手段、チューナ２２のような同調手段、復調器２３のような復調手段、オーディオ増幅器２４のようなオーディオ増幅手段、スピーカ２５のようなオーディオ出力手段、デコーダ２６のようなデコード手段、プロセッサ及びメモリ２７のような処理手段及び記憶手段、ビデオプロセッサ２８のようなビデオ処理手段、及びディスプレイ２９のようなビジュアル出力手段を有している。上述されたエレメントのうちの幾つかは、たとえば、集積回路（ＩＣ）を使用して実施される場合がある。説明の明確さのため、図２には、制御信号を含むテレビジョン信号受信機２０の所定の従来のエレメントが示されていない場合がある。
【００１８】
信号受信エレメント２１は、図１における信号送信源１０のような信号源からのオーディオ、ビデオ及び／又は緊急警報信号を含む信号を受信するために動作可能である。例示的な実施の形態によれば、受信されたオーディオ信号は、デジタル形式で符号化された緊急警報信号を含んでいる場合がある。別の例示的な実施の形態によれば、緊急警報信号は、デジタル伝送システムにおける個別のデータパケットとして受信される場合がある。信号受信エレメント２１は、アンテナ、入力端子又は他のエレメントのような信号受信エレメントとして実施される場合がある。
【００１９】
チューナ２２は、オーディオ、ビデオ及び／又は緊急警報信号を含む信号を同調させるために動作可能である。例示的な実施の形態によれば、チューナ２２は、少なくとも以下の指定されたＮＷＳ周波数でオーディオ信号を同調可能である場合がある。１６２．４００ＭＨｚ，１６２．４２５ＭＨｚ，１６２．４５０ＭＨｚ，１６２．４７５ＭＨｚ，１６２．５００ＭＨｚ，１６２．５２５ＭＨｚ及び１６２．５５０ＭＨｚ。本実施の形態で先に示されたように、かかるオーディオ信号は、デジタル形式で符号化された緊急警報信号を含んでいる場合がある。また、チューナ２２は、地上波、ケーブル、衛星、及び／又は他の送信で使用されるチャネルを含んだ他の周波数チャネルを同調する場合がある。
【００２０】
復調器２３は、チューナ２２から供給された信号を復調するために動作可能であり、アナログ及び／又はデジタル送信のフォーマットで信号を復調する場合がある。例示的な実施の形態によれば、復調器２３は、オーディオ信号を復調し、これによりＮＷＳオーディオメッセージ、警告するアラートトーン及び／又は他のオーディオコンテンツのようなオーディオコンテンツを表している復調されたオーディオ信号を生成する。
【００２１】
オーディオ増幅器２４は、プロセッサ２７から供給された１以上の制御信号に応じて、復調器２３からのオーディオ信号出力を増幅するために動作可能である。図２に示されるように、オーディオ信号は、オーディオ出力端子（たとえば、オーディオ出力プラグ）を介してテレビジョン信号受信機２０に動作的に接続されるオーディオレシーバ及び／又はアンプ（図示せず）のようなオーディオ出力装置に提供される場合がある。スピーカ２５は、オーディオ増幅器２４から提供された増幅されたオーディオ信号を音声出力するために動作し、テレビジョン信号受信機２０の内部スピーカとして実施されるか、又はテレビジョン信号受信機２０に関連される他のオーディオ出力装置として実施される場合がある。
【００２２】
デコーダ２６は、オーディオ、ビデオ、及び／又は緊急警報信号を含む信号をデコードするために動作する。例示的な実施の形態によれば、デコーダ２６は、オーディオ信号をデコードし、これによりデジタル形式で符号化された周波数シフトキーイング（ＦＳＫ）信号を抽出し、このＦＳＫ信号は、緊急事態を示す緊急警報信号を表している。別の例示的な実施の形態によれば、デコーダ２７は、緊急事態を示す緊急警報信号を表すデジタルデータをデコードする。また、デコーダ２７は、アナログテレビジョン信号の垂直帰線消去期間（ＶＢＩ）に含まれる緊急警報信号を表すデータを復号化するような、他の復号化機能を実行する場合もある。
【００２３】
例示的な実施の形態によれば、緊急警報信号は、緊急事態に関連するＳＡＭＥデータを備えるデータを含んでいる。ＳＡＭＥデータは、緊急事態により影響される特定の地理的なエリア、緊急事態のタイプ（たとえば、竜巻、毒性のある化学物質の漏れ、放射線の漏れ、都市の非常事態等）、及び事態の警報の期限切れの時間のような情報を表すデジタルコードを備えている。ＳＡＭＥデータは、緊急警報の特異性を高めて誤った警報の頻度を減少するため、ＮＷＳ及び他の当局により使用される。本発明に従い緊急警報信号には他のデータ及び情報もまた含まれる場合がある。
【００２４】
プロセッサ及びメモリ２７は、テレビジョン信号受信機２０の各種処理及びデータ記憶機能を実行するために動作可能である。例示的な実施の形態によれば、プロセッサ２７は、デコーダ２６からの緊急警報信号を受信し、テレビジョン信号受信機２０の緊急警報機能が緊急警報信号に含まれるデータに基づいてアクチベートされたかを判定する。この例示的な実施の形態によれば、プロセッサ２７は、緊急警報信号におけるデータをメモリ２７に記憶されるユーザセットアップデータと比較し、緊急警報機能がアクチベートされたかを判定する。本実施の形態で後に記載されるように、テレビジョン信号受信機２０の緊急警報機能のためのセットアッププロセスにより、ユーザは、緊急警報機能をアクチベートする、適用可能な地理的なエリア及び緊急事態のタイプ（たとえば、竜巻の注視、放射線ハザードの警告、都市の非常事態）のようなアイテムを選択することができる。
【００２５】
テレビジョン信号受信機２０の緊急警報機能がアクチベートされたとき、プロセッサ２７は、各種動作を可能にする１以上の制御信号を出力する。例示的な実施の形態によれば、かかる制御信号は、テレビジョン信号受信機２０と関連されるディスエーブルにされたオーディオ出力装置をイネーブルにする場合がある。ひとたびディスエーブルにされたオーディオ出力装置がイネーブルにされると、かかる制御信号は、オーディオ出力装置を介して警報出力をイネーブルにし、テレビジョン信号受信機２０を介してビジュアル出力のような他の警報出力及び／又は二次装置を介して警報出力をさらにイネーブルにし、これにより緊急事態を個人に通知する。また、かかる制御信号は、オフ／スタンバイモードからオンモードに切換えさせるような、テレビジョン信号受信機２０の他の動作をイネーブルにする場合がある。本発明のこれらの態様に関する更なる詳細は、本実施の形態で後に提供される。
【００２６】
ビデオプロセッサ２８は、ビデオ信号を含む信号を処理するために動作可能である。例示的な実施の形態によれば、かかるビデオ信号は、ＮＷＳテキストメッセージ及び／又は緊急事態に関する詳細を提供する他のメッセージのような埋め込まれたメッセージを含んでいる場合がある。ビデオプロセッサ２８は、クローズド・キャプション・ディスプレイを可能にするクローズドキャプション回路を含む場合がある。ディスプレイ２９は、ビデオプロセッサ２８から供給された処理された信号に対応する視覚的な表示を提供するために動作可能である。例示的な実施の形態によれば、ディスプレイ２９は、緊急事態に関する詳細を提供する上述されたメッセージを含む視覚的な表示を提供する場合がある。
【００２７】
ここで図３に戻り、本発明に係る例示的なステップを説明するフローチャート３０が示されている。例示及び説明のため、図３のステップは、図２のテレビジョン信号受信機２０を参照して説明される。図３のステップは単なる例示であって、本発明を限定することが意図されていない。
【００２８】
ステップ３０１で、テレビジョン信号受信機２０の緊急警報機能のためのセットアップ処理が実行される。例示的な実施の形態によれば、ユーザは、ディスプレイ２９を介して表示されたオンスクリーンメニューに応答して（たとえば、図示されないリモート制御装置を使用して）テレビジョン信号受信機２０に入力を供給することで、このセットアップ処理を実行する。かかるオンスクリーンメニューは、たとえば、テレビジョン信号受信機２０の電子番組ガイド（ＥＰＧ）機能の一部である場合がある。例示的な実施の形態によれば、ユーザは、ステップ３０１でのセットアッププロセスの間に少なくとも以下のアイテムを選択する場合がある。
【００２９】
Ａ．イネーブル／ディスエーブル−ユーザは、緊急警報機能をイネーブル又はディスエーブルにするかを選択する場合がある。
【００３０】
Ｂ．周波数選択−ユーザは、緊急警報信号を受信するため、監視されるべき周波数チャネルを選択する場合がある。たとえば、ユーザは、地上波、ケーブル、衛星、又は緊急警報信号について監視される他のチャネル（たとえば、ＮＷＳチャネル）を選択する場合がある。監視チャネルの選択は、たとえば、様々な周波数チャネルを走査し、これにより最も高い信号強度を与えるチャネル識別する周波数走査動作を通して容易にされる場合がある。
【００３１】
Ｃ．地理的エリア−ユーザは、１以上の関心のある地理的なエリアを選択する場合がある。たとえば、ユーザは、特定の大陸、国、地域、州、エリアコード、ジップコード、市、郡、自治体、一区画、及び／又は他の定義可能な地理的領域を選択する場合がある。例示的な実施の形態によれば、かかる地理的なエリアは、１以上のＦＩＰＳ（Ｆｅｄｅｒａｌ  Ｉｎｆｏｒｍａｔｉｏｎ  Ｐｒｏｃｅｓｓｉｎｇ  Ｓｔａｎｄａｒｄ）ロケーションコードのような、ロケーションデータによりメモリ２７に表されている場合がある。
【００３２】
Ｄ．事態のタイプ−ユーザは、緊急警報機能をアクチベートする１以上の緊急事態のタイプを選択する場合がある。たとえば、ユーザは、都会の非常事態、放射線ハザードの警告、及び／又は竜巻の警告のような事象は緊急警告機能をアクチベートしたが、雷雨の注視のような事象はアクチベートしない等を示す場合がある。また、ユーザは、ＮＷＳ及び／又は他の警告メカニズムにより供給される従来の警告のオーディオトーンが緊急警告の機能をアクチベートしたかを選択する場合がある。本発明によれば、異なる深刻さ又は警告レベル（たとえば、声明、注視、警告等）は、異なる「事象」を表している場合がある。たとえば、雷雨の注視は、雷雨の警告とは異なる事象であると考えられる場合がある。
【００３３】
Ｅ．警告の結果−ユーザは、緊急警告機能がアクチベートされたときに供給されるべき１以上の警告出力を選択する場合がある。例示的な実施の形態によれば、緊急警告機能をアクチベートする緊急事態のそれぞれのタイプについて供給されるべきビジュアル及び／又はオーラル出力を選択する場合がある。たとえば、ユーザは、ビジュアルメッセージ（たとえば、クローズド・キャプション・ディスプレイとしてのＮＷＳテキストメッセージ）を表示し、及び／又はテレビジョン信号受信機２０を特定のチャネルに同調することを選択する場合がある。ユーザは、警告のトーン（たとえば、チャイム、サイレン等）、及び／又はオーディオメッセージ（たとえば、ＮＷＳオーディオメッセージ）、及びそれぞれの所望のボリュームを音声出力することを選択する場合もある。別の例示的な実施の形態によれば、ユーザは、電話、コンピュータ、又は他の装置のような二次装置を介して１以上の警報出力を提供するのを選択する場合がある。さらに、警告の出力は、事象毎に選択される場合がある。本発明に従って他のタイプの警告出力が提供される場合もある。
【００３４】
本発明によれば、ステップ３０１で他のメニュー選択もまた提供され、及び／又は先に説明されたメニュー選択のうちのいくつかが省略される場合もある。ステップ３０１のセットアッププロセスの間のユーザ選択に対応するデータは、メモリ２８に記憶される。
【００３５】
ステップ３０２で、テレビジョン信号受信機２０は、緊急警報信号についてステップ３０１のセットアップ処理の間にユーザにより選択された周波数チャネル（すなわち、アイテムＢ）を監視する。例示的な実施の形態によれば、チューナ２２は、選択された周波数チャネルをモニタし、これにより到来する緊急警報信号を受信する。本発明によれば、テレビジョン信号受信機２０は、周波数チャネルを監視すること、及びたとえばテレビジョン信号受信機２０がオン、オフであるとき、及び／又は記録されたオーディオ及び／又はビデオコンテンツの再生の間を含めて、全ての動作モードの間の緊急警報信号を受信することが可能である。
【００３６】
ステップ３０３で、テレビジョン信号受信機２０の緊急警報機能がアクチベートされたかに関する判定が行われる。例示的な実施の形態では、プロセッサ２７は、到来する緊急系譜信号に含まれるデータをメモリ２７に記憶されているデータと比較することで、この判定を行う。本実施の形態で先に示されたように、緊急警報信号は、緊急事態のタイプ（たとえば、竜巻の注視、放射性ハザードの警告、都会の緊急事態等）、及び緊急事態により影響される特定の地理的エリアを含む情報を表すＳＡＭＥデータのようなデータを含んでいる場合がある。例示的な実施の形態によれば、プロセッサ２７は、このＳＡＭＥデータをメモリ２７に記憶されているユーザセットアップデータ（すなわち、ステップ３０１のアイテムＣ及びＤ）と比較し、これにより緊急警報機能がアクチベートされたかを判定する。このようにして、緊急警報信号により示される緊急事態が（１）ステップ３０１のアイテムＣについてユーザにより選択された地理的なエリア、及び（２）ステップ３０１のアイテムＤについてユーザにより選択されたイベントタイプ、に対応するとき、テレビジョン信号受信機２０の緊急警報機能がアクチベートされる。
【００３７】
ステップ３０３での判定が否定的である場合、プロセスフローは、ステップ３０２に戻り、ここでチューナ２２は、選択された周波数チャネルを監視し続ける。代替的に、ステップ３０３での判定が肯定的である場合、プロセスフローはステップ３０４に進み、ここで、プロセッサ２７は、テレビジョン信号受信機２０がオンモードにあるか（すなわちオンされているか）を判定する。ステップ３０４での判定が否定的である場合、プロセスフローは、ステップ３０５に進み、ここで、プロセッサ２７は、１以上の制御信号を出力し、オフ／スタンバイモードからオンモードにテレビジョン信号受信機２０を切り替える。
【００３８】
ステップ３０４での判定が肯定的であるか又はステップ３０５に続く場合、プロセスフローは、ステップ３０６に進み、ここで、プロセッサ２７は、テレビジョン信号受信機２０に関連されるオーディオ出力装置がディスエーブルにされたかを判定する。例示的な実施の形態によれば、ステップ３０６でテレビジョン信号受信機２０に関連されるオーディオ出力装置は、スピーカ２５のような内部スピーカを含んでいる。別の例示的な実施の形態によれば、ステップ３０６でテレビジョン信号受信機２０に関連されるオーディオ出力装置は、テレビジョン信号受信機２０に動作的に接続されるオーディオレシーバ及び／又はアンプのようなオーディオ出力装置を含んでいる。本実施の形態で先に示されたように、上述されたオーディオ出力装置は、所定の瞬間で警報出力を提供することからディスエーブルにされる。たとえば、オーディオレシーバ及び／又はアンプのような別のオーディオ出力装置がテレビジョン信号受信機２０のオーディオ出力端子（たとえば、オーディオ出力プラグ）に動作的に接続されたときに、スピーカ２５のようなテレビジョン信号受信機２０の内部スピーカがディスエーブルにされる場合がある。さらに、接続されるオーディオ出力装置は、オンにされないか、又はオンにされるが、ＶＣＲ、ＤＶＤプレーヤ又は他の装置のようなテレビジョン信号受信機２０以外の入力ソースからのオーディオデータを処理している場合がある。かかる例では、これらのオーディオ出力装置は、警報出力を提供することからディスエーブルにされる場合がある。
【００３９】
ステップ３０６での判定が否定的である場合、プロセスフローは、ステップ３０８に進み、このステップ３０８は本実施の形態で後に記載される。代替的に、ステップ３０６での判定が肯定的である場合、プロセスフローはステップ３０７に進み、ここで、ディスエーブルにされたオーディオ出力装置がイネーブルにされる。例示的な実施の形態によれば、プロセッサ２７は、ステップ３０７で１以上の制御信号をオーディオ増幅器２４に出力し、これによりスピーカ２５のようなテレビジョン信号受信機２０の内部スピーカをイネーブルにする。この例示的な実施の形態によれば、プロセッサ２７は、１以上の制御信号を出力し、オーディオ出力端子に接続されたオーディオ出力装置からのオーディオ、チューナ２２からのオーディオ、統合された装置（たとえば、ＤＶＤプレーヤ、ＶＣＲ等）及び／又は他のオーディオソースからのオーディオのような、テレビジョン信号受信機２０に関連される他のオーディオソースをディスエーブル、したがってミュートする。かかるオーディオソースをディスエーブルにすることで、ノイズのためにテレビジョン信号受信機２０の内部スピーカ（たとえばスピーカ２５）を介して提供されるオーラルアラート出力を個人に失わせる場合がある１を超えるオーディオフィードの結合が回避される。
【００４０】
別の例示的な実施の形態では、プロセッサ２７は、テレビジョン信号受信機２０のオーディオ出力端子に動作的に接続されるオーディオレシーバ又はアンプのようなオーディオ出力装置をイネーブルにするため、ステップ３０７で１以上の制御信号を出力する。たとえば、プロセッサ２７は、テレビジョン信号受信機２０に関連される赤外線（ＩＲ）又は他の送信機（図示せず）に接続されたオーディオ出力装置をオンにする制御信号を送信させ、及び／又は接続されたオーディオ出力装置にその入力ソースをテレビジョン信号受信機２０に切り替えさせる１以上の制御信号を出力する場合がある。このようにして、テレビジョン信号受信機２０に動作的に接続されるオーディオ出力装置を介して、音声の警報出力が提供される場合がある。
【００４１】
ステップ３０８で、テレビジョン信号受信機２０は、１以上の警報出力を提供し、これにより緊急警報機能をアクチベートした緊急事態を個人に通知する。例示的な実施の形態によれば、プロセッサ２７は、ステップ３０１のセットアッププロセスの間のユーザの選択（すなわち、アイテムＥ）に従って、ステップ３０８で１以上の警報出力をイネーブルにし、かかる警報出力は、本質的にオーラル及び／又はビジュアルである場合がある。たとえば、警報するトーン、ＮＷＳオーディオメッセージ、及び／又は他のオーディオコンテンツのような音声出力は、スピーカ２５のようなテレビジョン信号受信機２０の内部スピーカを介して、又はテレビジョン信号受信機２０のオーディオ出力端子に動作的に接続されるオーディオ出力装置を介して、ステップ３０８で供給される場合がある。かかるオーラル出力のボリュームは、ステップ３０１のセットアッププロセスの間にユーザにより設定されたボリュームレベルに従って制御される場合がある。視覚に基づいた出力は、緊急事態を個人に通知するため、ディスプレイ２９を介してステップ２９で供給される場合もある。例示的な実施の形態によれば、（たとえば、クローズド・キャプション・ディスプレイとしての）ＮＷＳテキストメッセージのような補助的な情報表示、及び／又は特定のチャネルからのビデオ出力は、プロセッサ２７の制御下でディスプレイ２９を介してステップ３０８で供給される場合もある。かかる音声及び／又は視覚に基づいた出力は、ハンドヘルドリモート制御装置のような、テレビジョン信号受信機２０に関連される制御装置を介してユーザにより制御される場合もある。たとえば、ユーザは、テレビジョン信号受信機２０の内部スピーカをその前のディスエーブルにされた状態に復帰させるため、リモート制御装置のキーを押し、テレビジョン信号受信機２０に接続されたオーディオ出力装置をイネーブルにする場合がある。ユーザは、警報出力をオン及びオフにするような他の制御機能を実行する場合がある。
【００４２】
例示的な実施の形態によれば、ステップ３０８で提供された警報出力は、１以上の二次装置を介して提供される場合もある。図４〜図７は、本発明の例示的な実施の形態に係る、警報出力がどのように二次装置を介して提供されるかを例示している。限定されないが、二次装置が警報出力を提供すること、緊急事態（もしあれば）が特定の二次装置をトリガすること、及び警報出力が特定の二次装置により提供される方式のような詳細は、ステップ３０１のセットアッププロセスの間にユーザにより指定される場合がある。
【００４３】
図４の例示的な実施の形態によれば、テレビジョン信号受信機２０は、テレビジョン信号受信機２０の緊急警報機能が所定の緊急事態についてアクチベートされたときに電話４０のダイアリング機能をアクチベートするためにプログラムされる場合がある。電話４０は、図４に示されるようにテレビジョン信号受信機２０とは個別のスタンドアロン装置であるか、又はテレビジョン信号受信機２０のシャシ内で実施される場合がある。図４の実施の形態では、テレビジョン信号受信機２０は、緊急警報機能が所定の緊急事態についてアクチベートされたときに有線及び／又は無線接続を使用して制御信号を電話４０に送信する場合がある。かかる制御信号は、電話４０のダイアリング機能をアクチベートし、これにより１以上の予め決定された電話番号を電話４０にダイアルさせる。緊急警報機能のアクチベーションに応じて電話４０によりダイアルされるべき１以上の番号は、（たとえば、ステップ３０１の間に）テレビジョン信号受信機２０及び／又は電話４０を介してプログラムされる場合がある。電話４０のダイアリング機能がアクチベートされた後、テレビジョン信号受信機２０は、たとえばオーディオ及び／又はテクスチャメッセージを表す警報出力信号を電話４０に送信し、電話４０は、呼び出しの受信機にメッセージを提供する。また、電話４０は、テレビジョン信号受信機２０の受信に応じて、呼び出しの受信機に予め決定されたメッセージを提供するためにプログラムされる場合がある。
【００４４】
図５の例示的な実施の形態では、テレビジョン信号受信機２０は、ローカルエリアネットワーク（ＬＡＮ）、ワイドエリアネットワーク（ＷＡＮ）、及び／又はインターネットのような有線ネットワーク及び／又は無線ネットワークを介してテレビジョン信号受信機に接続される二次装置を介して警報出力を提供するためにプログラムされる場合がある。図５に示されるように、テレビジョン信号受信機２０は、テレビジョン信号受信機２０の緊急警報機能がアクチベートされたとき、警報出力信号をサーバ／コンピュータ５０に送信する場合がある。サーバ／コンピュータ５０は、次いで、警報出力信号をルータ５１に提供し、ルータ５１は、コンピュータとして実施される場合があるネットワーク装置５２〜５５に警報出力信号を提供する。ルータ５１は、別のＬＡＮ，ＷＡＮ及び／又はインターネットのような別のネットワーク５６に警報出力信号を提供する場合がある。図５の例示的な実施の形態によれば、警報出力が提供される方式は、ステップ３０１のセットアッププロセスの間にユーザにより指定される場合がある。たとえば、ユーザは、ネットワーク上のどの装置が警報出力信号を受信するか、全ての装置が警報出力信号を、同時に、又はたとえば緊急事態の深刻さ、及び／又は他のアイテムに依存した所定のシーケンスで受信したか、のようなアイテムを指定する場合がある。
【００４５】
図６の例示的な実施の形態では、テレビジョン信号受信機２０は、有線接続及び／又は無線接続を介してテレビジョン信号受信機６０のような二次装置に警報出力を提供するためにプログラムされる場合がある。たとえば、テレビジョン信号受信機２０は、テレビジョン信号受信機２０の緊急警報機能がアクチベートされたときに、ＩＲ制御信号をテレビジョン信号受信機６０に送信する場合がある。かかるＩＲ制御信号は、オンモードへの切り替え、チャネルチューニング、オーディオボリューム制御、予め決定された時間期間の後のオフ／スタンバイモードへの切り替え、及び／又は他の機能のような、テレビジョン信号受信機６０の機能を制御する場合がある。図６の例示的な実施の形態によれば、ラジオのような緊急警報機能を有する別の装置は、主要な警報装置としてテレビジョン信号受信機２０の置き換えで使用される場合がある。
【００４６】
図７の例示的な実施の形態では、テレビジョン信号受信機２０は、有線コネクション及び／又は無線コネクションを介して、ビジュアル出力装置７０のような二次装置に警報出力を提供するためにプログラムされている場合がある。ビジュアル出力装置７０は、光をフラッシュするような視覚に基づいた警報出力を提供可能な装置、及び／又は他の装置として実施される場合がある。図７の実施の形態は、障害のあるユーザのヒアリング、高い周辺の雑音を有する環境のヒアリング、及び／又はユーザがテレビジョン信号受信機２０から遠く離れているときに有効な場合がある。ページャのような、図４〜図７に明示的に示されるもの以外のタイプの二次装置は、本発明に従って使用される場合もある。
【００４７】
本実施の形態で記載される本発明の原理は、テレビジョン信号受信機２０の目覚ましタイマー又はスケージュール／ウォッチタイマー機能に適用される場合もある。たとえば、ユーザを目覚ましするための予め決定された時間で、テレビジョン信号受信機２０がオンモードに切り替えるためにプログラムされる場合、（たとえば、内部スピーカといった）テレビジョン信号受信機２０に関連されるオーディオ出力装置は、オーディオレシーバ及び／又はアンプのような別のオーディオ出力装置がテレビジョン信号受信機２０のオーディオ出力端子に接続される場合にディスエーブルにされる場合がある。さらに、接続されたオーディオ出力装置はオンにされず、若しくはオンにされるが、テレビジョン信号受信機２０以外の入力ソースからのオーディオデータを処理している場合がある。かかる例では、（たとえば、内部スピーカ等の）テレビジョン信号受信機２０に関連されるオーディオ出力装置は、リモート制御装置上の予め決定されたキーをユーザが押したときにディスエーブルにされる場合がある。また、オンスクリーンメッセージは、ユーザが既に接続されたオーディオ出力装置をオンしていない場合にオンにすることをユーザに思い出させる。
【００４８】
本実施の形態に記載されるように、本発明は、特に、緊急事態がユーザに即座に通知される確率を高める警報出力を供給するための装置を提供する。本発明は、ディスプレイ装置をもつか又はディスプレイ装置をもたない様々な装置に適用される場合がある。これに応じて、本明細書で使用されるフレーズ「テレビジョン信号受信機」は、限定されるものではないが、テレビジョンセット、ディスプレイ装置を含むコンピュータ又はモニタ、並びに、セットップボックス、ＶＣＲ、ＤＶＤプレーヤ、ビデオゲームボックス、パーソナルビデオレコーダ（ＰＶＲ）、ディスプレイ装置を含まない場合があるコンピュータ又は他の装置のようなシステム又は装置を含めて、テレビジョン信号を受信して処理することが可能なシステム又は装置を言及する場合がある。本発明は、ラジオにも適用される場合がある。さらに、本発明は、固定されたボリューム出力と可変のボリューム出力との間で切換えされる１つのオーディオ出力端子を有するテレビジョン信号受信機に適用することができ、固定されたボリュームオーディオ出力端子と可変のボリュームオーディオ出力端子の両者を有するテレビジョン信号受信機にも適用することができる。
【００４９】
本発明は、好適な設計を有するとして記載されたが、この開示の精神及び範囲でさらに本発明を変更することができる。本出願は、その一般的な原理を使用して本発明のバリエーション、使用、又は適合をカバーすることが意図される。さらに、本出願は、本発明が属する技術分野であって、特許請求の範囲の制約に含まれる技術分野で公知又は公用として本開示からの逸脱をカバーすることが意図されている。
【図面の簡単な説明】
【００５０】
【図１】本発明を実現するのに適した例示的な環境を示す図である。
【図２】本発明の例示的な実施の形態に係るテレビジョン信号受信機のブロック図である。
【図３】本発明の例示的な実施の形態に係るステップを例示するフローチャートである。
【図４】本発明の例示的な実施の形態に係る、警報出力がどのように二次装置を介して提供されるかを説明する図である。
【図５】本発明の別の例示的な実施の形態に係る、警報出力がどのように二次装置を介して提供されるかを説明する図である。
【図６】本発明の更に別の例示的な実施の形態に係る、警報出力がどのように二次装置を介して提供されるかを説明する図である。
【図７】本発明の更に別の例示的な実施の形態に係る、警報出力がどのように二次装置を介して提供されるかを説明する図である。
【図１】
2006507733.tif 000003
【図２】
2006507733.tif 000004
【図３】
2006507733.tif 000005
【図４】
2006507733.tif 000006
【図５】
2006507733.tif 000007
【図６】
2006507733.tif 000008
【図７】
2006507733.tif 000009
【国際調査報告】
2006507733.tif 000010